(57)【要約】【課題】受信側がネットワーク経由で送られてくるコンテンツの取得時間の分散化を図り、データ取得及び処理の信頼性を向上する。【解決手段】第１の受信部が主映像データを第１の経路で受信する。第２の受信部が前記主映像データを高画質化するための差分情報を第２の経路で受信又は取得する。生成部が前記受信した主映像データと前記差分情報とを用いて、前記主映像データより高画質な再生高画質映像データを生成する。指定部が前記差分情報を取得する時間を指定する。【選択図】図１
2014138314.tif 000002
【特許請求の範囲】
【請求項１】
主映像データを第１の経路で受信する第１の受信部と、
前記主映像データを高画質化するための差分情報を第２の経路で受信する第２の受信部と、
前記受信した主映像データと前記差分情報とを用いて、前記主映像データより高画質な再生高画質映像データを生成する生成部と、
前記差分情報が取得される時間を指定可能な指定部と、
を有する電子機器。
【請求項２】
前記第１の経路は放送波受信経路であり、前記第２の経路はネットワーク経路又は電波による伝送経路のいずれかである請求項１記載の電子機器。
【請求項３】
前記指定部は、前記差分情報を取得しない時間を指定する請求項１記載の電子機器。
【請求項４】
前記主映像データをアップコンバートするアップコンバータをさらに備え、アップコンバートされた映像データを前記再生高画質映像データの代わりに出力する、
請求項１記載の電子機器。
【請求項５】
前記主映像データを受信する前に受信した前記差分情報を格納する記録再生装置を有し、
前記生成部は、前記記録再生装置からの前記差分情報と、前記第１の受信機からの前記主映像データを用いる、
請求項１記載の電子機器。
【請求項６】
制御部は、ユーザ操作又はサーバーからの命令で前記第１の時間帯と、前記第２の時間帯を変更する
請求項１記載の電子機器。
【請求項７】
前記主映像データをアップコンバートするアップコンバータをさらに備え、
制御部は、前記アップコンバータを使用するか否かを決定する
請求項１記載の電子機器。
【請求項８】
オンスクリーンディスプレイ処理器をさらに有し、
制御部は、表示器に表示されている画像が前記差分情報を用いた画像であるか否かを示すメッセージを出力する
請求項１記載の電子機器。
【請求項９】
オンスクリーンディスプレイ処理器をさらに有し、
制御部は、視聴する番組を、放送開始時間よりも後で視聴するか否かを決定するためのメッセージを出力する
請求項１記載の電子機器。
【請求項１０】
主映像データを第１の経路で受信する第１の受信部と、前記主映像データを高画質化するための差分情報を第２の経路で受信する第２の受信部と、信号処理部とを有する電子機器の制御方法において、
前記受信した主映像データと前記差分情報とを用いて、前記主映像データより高画質な再生高画質映像データを生成し、
前記差分情報を取得する時間を指定する、
電子機器の制御方法。
【請求項１１】
主映像データを第１の経路で受信する第１の受信部と、前記主映像データを高画質化するための差分情報を第２の経路で受信する第２の受信部と、信号処理部とを有する電子機器の制御プログラムにおいて、
前記受信した主映像データと前記差分情報とを用いて、前記主映像データより高画質な再生高画質映像データを生成する命令と、
前記差分情報を取得する時間を指定する命令と、
を有する電子機器の制御プログラム。
【発明の詳細な説明】
【技術分野】
【０００１】
この発明の実施形態は電子機器、電子機器の制御方法及び制御プログラムに関する。
【背景技術】
【０００２】
現在普及しているデジタルテレビジョン放送受信装置は、水平方向が１９２０画素で垂直方向が１０８０画素の所謂２ｋ１ｋと称される映像データの表示に対応した装置が一般的である。
【０００３】
これに対して近年では、水平方向が３８４０画素、垂直方向が２１６０画素の４ｋ２ｋと称される映像データや、水平方向が７６８０画素、垂直方向が４３２０画素の８ｋ４ｋと称される映像データのような、上記２ｋ１ｋよりも超高精細な映像データも実現されている。そして、超高精細な映像データを表示可能なＵＨＤＴＶ（Ultra High Definition TV）の開発も行なわれている。
【０００４】
一方、上記した情報量の多い高精細な映像データを、限られた伝送路帯域で放送配信するにあたって、その伝送をいかに行うかが重要な課題となっている。
【０００５】
情報量の多い高画質映像データを伝送する伝送路の容量に制限がある場合、以下のような技術がある。
【０００６】
放送局では、同一コンテンツの通常画質映像データと高画質映像データを用意する。そして、通常画質映像データは、放送波で伝送し、高画質映像データはインターネット経由で伝送する（例えば特許文献１）。
【先行技術文献】
【特許文献】
【０００７】
【特許文献１】特開２０１１−８７０３３号公報
【発明の概要】
【発明が解決しようとする課題】
【０００８】
上記のようにインターネット経由で映像データが送信される方式の場合、映像データはサーバーからユーザの受信機にダウンロードされる。つまり、ユーザの受信機は、サーバーをアクセスし、映像データをダウンロードする。
【０００９】
しかし、映像データを取得するために、サーバーをアクセスする方式であるとネットワーク回線が混雑した場合に問題が生じる。ネットワーク回線が混雑した場合、サーバーをアクセスできない状況、映像データを取得できない状況が生じる。
【００１０】
そこでこの実施形態では、放送波とネットワーク経由のように別経路で相互に関連しているコンテンツを送信するシステムにおいて、受信側が、ネットワーク経由で送られてくるコンテンツの取得時間の分散化を図り、データ取得及び処理の信頼性を向上できる電子機器、電子器機器の制御方法及び制御プログラムを提供することを目的とする。
【課題を解決するための手段】
【００１１】
実施形態によれば、第１の受信部が主映像データを第１の経路で受信する。第２の受信部が前記主映像データを高画質化するための差分情報を第２の経路で受信する。生成部が前記受信した主映像データと前記差分情報とを用いて、前記主映像データより高画質な再生高画質映像データを生成する。指定部が前記差分情報を取得する時間を指定する。
【図面の簡単な説明】
【００１２】
【図１】実施形態が適用された放送システムの構成例を示す図である。
【図２】図１の放送局の内部ブロックを示す図である。
【図３】図１の受信装置の放送波受信機と差分情報受信機の内部ブロックを示す図である。
【図４】主映像データストリームの一例を示す図である。
【図５】差分情報ストリームの一例と制御データの例を示す図である。
【図６】差分情報のダウンロード可能時間帯とダウンロード禁止時間帯が割り当てられた受信装置が、４ｋ２ｋ映像データの視聴に移行するときのタイミングの一例を示す図である。
【図７】差分情報のダウンロード可能時間帯とダウンロード禁止時間帯が割り当てられた受信装置が、４ｋ２ｋ映像データの視聴に移行するときのタイミングの他の例を示す図である。
【図８】差分情報のダウンロード可能時間帯とダウンロード禁止時間帯が割り当てられた受信装置が、４ｋ２ｋ映像データの視聴に移行するときのタイミングの更に他の例を示す図である。
【図９】図１に示した受信装置の各種の動作パターンを示すフローチャートである。
【図１０】図１に示した受信装置により表示器に対して番組表を表示した例を示す図である。
【図１１】図１に示した受信装置により表示器に対して映像が表示されたときのメッセージの例を示す図である。
【発明を実施するための形態】
【００１３】
以下、実施の形態について図面を参照して説明する。
【００１４】
図１は、放送局１０００と、放送局１０００からの放送波及び差分情報を受信する受信装置３０００の構成例を示している。放送局１０００は、放送波送信装置１００と、差分情報配信サーバー２００を含む。
【００１５】
放送波送信装置１００は、電波を媒体として番組の主映像データを送信する。主映像データの元の映像データは、高画質映像データであり、高画質映像データと主映像データの差分は、差分情報として、差分情報配信サーバー（以下単にサーバーと称する）２００に送られる。
【００１６】
すなわち、差分情報は、主映像データを高画質化するための情報である。そして、
サーバー２００は、インターネットを介して差分情報を配信することができる。
【００１７】
受信装置３０００は、放送波受信機３１、差分情報受信機３４を有する。放送波受信機３１で受信されて、復調（デモジューレション）された番組のストリームは、信号処理部３０に入力する。差分情報受信機３４で受信され復調された差分情報のストリームも信号処理部３０に入力する。
【００１８】
信号処理部３０は、２ｋ１ｋ映像データを画素補間処理、周波数変換処理して４ｋ２ｋ映像データに変換することができる内部アップコンバータ３２を有する。
【００１９】
システム制御器３７は、表示器５０００の能力、ユーザの選択操作、放送信号の内容に応じて、アップコンバータ３２を起動するか否かを選択することができる。アップコンバータ３２が起動された場合、放送波受信機３１からの映像データストリームをデコードし、２ｋ１ｋ映像データを生成する。そしてアップコンバータ３２は、２ｋ１ｋ映像データを画素補間処理、周波数変換処理して４ｋ２ｋ映像データに変換することができる。アップコンバートされた４ｋ２ｋ映像データは、セレクタ３３の第１入力端子に出力される。
【００２０】
信号処理部３０は、記録再生装置３５、４ｋ２ｋ映像データ作成部３６を有する。４ｋ２ｋ映像データ作成部３６は、放送波受信機３１で受信された２ｋ１ｋ映像データ（主映像データ）と、差分情報受信機３４で受信された差分情報とを用いて、４ｋ２ｋ映像データ（高画質映像データ）を作成することができる。つまり主映像データを高画質化するために差分情報が用いられる。差分情報は、予め記録再生装置３５に格納されているものが使用される場合もあるし、差分情報受信機３４でライブ受信されるものが使用される場合もある。記録再生装置３５は、信号処理部３０の外に設けられてもよい。
【００２１】
４ｋ２ｋ映像データ作成部３６で作成された４ｋ２ｋ映像データは、セレクタ３３の第２入力端子に出力される。４ｋ２ｋ映像データ作成部３６で作成された４ｋ２ｋ映像データは、記録再生装置３５に録画番組として保存されることができる。記録再生装置３５に保存されている録画番組が再生された場合、セレクタ３３の第３入力端子に出力される。
【００２２】
信号処理部３０は、システム制御器３７を有する。システム制御器３７は、信号処理部３０の外の設けられてもよい。システム制御器３７は、放送波受信機３１、アップコンバータ３２、セレクタ３３、記録再生装置３５、４ｋ２ｋ映像データ作成部３６、差分情報受信機３４などを統括して制御することができる。
【００２３】
さらに信号処理部３０は、ＥＰＧ（電子プログラムガイド）データ処理部４１、番組表管理部４２、差分情報取得管理部４３、ＯＳＤ（オンスクリーンディスプレイ）処理器４５、リモートコントローラからの操作信号を受信する操作信号受信部４６などを含む。これらの構成要素もシステム制御器３７が制御することができる。
【００２４】
ＯＳＤ処理器４５は、システム制御器５１の制御に基づいて、番組表、メニュー、操作手順、操作ボタン、案内などの映像を表示することができる。
【００２５】
操作信号受信部４６は、ユーザによる操作信号、設定信号を受信する。操作信号、設定信号は、システム制御器３７により解析される。システム制御器３７は、操作信号、設定信号に基づき操作内容、設定内容を装置に反映させる。
【００２６】
操作内容や設定内容としては、４ｋ２ｋ映像データの作成、録画、アップコンバータ３２の動作指示、番組表の表示、番組視聴予約、番組録画予約などがある。また受信チャンネルの選択、録画番組の再生指示などがある。
【００２７】
図２は、放送局１０００の放送波送信装置１００と、サーバー２００の内部ブロック構成を示している。
【００２８】
放送波送信装置１００は、ソース部１０の高画質映像データを、これより解像度が低い主映像データに変換する変換部１２を有する。差分情報生成部１３は、高画質映像データと主映像データとの差である差分情報を生成する。
【００２９】
主映像データは、映像データとオーディオデータを含むものとする。映像データは、エンコーダ１４においてエンコードされパケット化され、１つの番組が複数のパケットのストリームとして構築される。
【００３０】
エンコード方式は、例えば、ＭＰＥＧ(Moving Picture Expert Group)方式、ＡＶＣ(Advanced Video Coding)方式などでエンコードされている。またオーディオデータは、例えば、ＰＣＭ(Pulse Code Modulation)方式、ＭＰＥＧ方式などでエンコードされている。その他に、各種の制御データを含む制御パケットも成生されるがここでは省略している。
【００３１】
各パケットのヘッダにはパケット識別情報（主映像データパケットの識別情報、オーディオデータパケットの識別情報、差分情報パケットの識別情報、パケットの配列順位を示す時間情報、制御データパケットの識別情報、など）が記述される。また差分情報の有無を示すデータが主映像データのパケット識別情報に含まれていてもよい。
【００３２】
また、制御データパケットのデータエリアには、コントロールすべきパケットに関する情報が記述されている。例えばコントロールすべきパケットの放送局名、放送チャンネル、番組名、放送時間帯情報など各種の情報と、コントロールすべきパケットの識別情報テーブルが含まれている。
【００３３】
放送局からは複数の番組が放送されるので、制御データパケットは、複数の番組に関する情報として、上記した放送局名、放送チャンネル、番組名、放送時間帯などコントロールすべきパケットに関する情報を搬送する。
【００３４】
エンコーダ１４から出力された主映像データパケットストリーム（トランスポートストリームと称しても良い）は、変調器・電力増幅器１５において放送波として伝送するための信号に変調され、この変調信号は、電波に変換されて放出される。
【００３５】
差分情報は、サーバー２００に送られる。サーバー２００において、差分情報に関しても主映像データと同様に、エンコーダ２１において差分情報がエンコードされパケット化される。１つの番組が複数のパケットのストリームとして構築される。各パケットのヘッダにはパケット識別情報として、差分情報パケットの識別情報、パケットの順序を示す時間情報が記述される。上記した制御データパケットは、差分情報パケットのストリームにも挿入されて送信される。
【００３６】
エンコーダ２１から出力された差分情報パケットストリーム（トランスポートストリームと称しても良い）は、モデム２５においてインターネット送信に適合した高周波信号に変調されて出力される。サーバー２００は、インターネットを介してユーザから要求される要求信号に応じて、或いは、自動的に差分情報を含むインターネット信号を配信する。
【００３７】
受信装置は、制御データパケットの制御データを復号して、放送局、放送チャンネル、番組名、放送時間帯など、コントロールすべきパケットに関する、各種データを得ることがでる。
【００３８】
図３は、放送波受信機３１、差分情報受信機３４のブロック構成例を示している。放送波受信機３１は、チャンネル選択を行う受信部と、選択されたチャンネルの信号を復調する復調器を有する。この復調器から得られた主映像データストリームは、信号処理器３０に入力される。差分情報受信機３４は、モデムを有し、このモデムで復調された差分情報ストリームは、信号処理器３０に入力される。モデムは、インターネットを介して、サーバー２００をアクセスし、差分情報を含むパケットのストリームを取得することができる。或いは、サーバー２００が、差分情報パケットストリームを自動的に配信してくることができる。
【００３９】
図４には主映像データパケットストリームの一例を示し、図５には差分情報パケットストリームの一例を示している。主映像データパケットストリームには、主映像データパケット（MV）、オーディオデータパケット（AV)、制御データパケット（C)が含まれている。差分情報パケットストリームには、差分情報パケット（DIF)、制御データパケット（C)が含まれている。
【００４０】
パケットヘッダ（PID)には、パケット共通コード、データ記載位置情報、放送局の情報、チャンネル情報、番組名情報、番組の放送時間帯情報、パケット順位（パケットの配列を決めるための時間情報）、その他、実データが含まれている。
【００４１】
制御データパケットの情報を収集すると、図５に示すように、放送局コード及びチャンネル別にテーブルを作成することができる。チャンネルテーブルには、番組名情報、各番組の放送時間帯情報、各番組に関する番組属性情報が含まれる。
【００４２】
図１に戻って説明する。
【００４３】
制御データパケットには、コントロールすべきパケットに関する情報が含まれている。システム制御器３７により制御データパケットが参照される。そしてシステム制御器３７の制御に基づいて、記録再生装置３５では、複数のチャンネルテーブルが生成され、各チャンネルテーブル上に複数の番組名テーブルが生成されることができる。また各番組名テーブル上には、放送時間帯情報、コントロールすべきパケットの種類・データエンコード方式・パケット数などを示すテーブルが格納される。さらにまた、差分情報ファイル、主映像データファイルの記録位置などを示す管理情報ファイルも生成される。
【００４４】
これらのファイルは、所謂ファイルシステム或いは管理情報に基づいて制御され、記録再生装置３５の記録媒体（ハードディスク、及びまたは光ディスク）に記録される。
【００４５】
本装置においては、システム制御器３７の指定部の指定により、差分情報受信機３４が差分情報を取得可能な第１の時間帯（ダウンロード可能時間帯）と、前記差分情報を取得不可能な第２の時間帯（ダウンロード禁止時間帯）とを指定される。これにより、受信側が、ネットワーク経由で送られてくるコンテンツの取得時間の分散化を図り、データ取得及び処理の信頼性を向上するためである。
【００４６】
上記の第１の時間帯と第２の時間帯は、サーバー２００から予め送られた、推薦時間帯情報に基づいて設定されることができる。或いは、上記の第１の時間帯と第２の時間帯は、サーバー２００から推薦時間帯情報が制御データとして送られ、自動的に設定されることができる。また、サーバー２００は、異なるユーザ（或いは地域）に異なる推薦時間帯情報を配信することもできる。
【００４７】
なお指定される時間帯は、差分情報を取得できる時間帯だけであってもよいし、差分情報を取得できない（取得を禁止された）時間帯だけであっても、上記動作の趣旨は実現される。
【００４８】
図６、図７、図８は、上記の第１の時間帯（ダウンロード可能時間帯）と第２の時間帯（ダウンロード禁止時間帯）が割り当てられた受信装置が、４ｋ２ｋ映像データの視聴に移行するときのタイミングの例を示している。
【００４９】
図６において、時点６ｔ１以前はダウンロード禁止時間帯、時点６ｔ１−６ｔ２はダウンロード可能時間帯、時点６ｔ２−６ｔ４はダウンロード禁止時間帯であるものとする。ここで、例えば番組Aの視聴予約が時点６ｔ１１で行われるものとする。また番組Aは、時点６ｔ３に放送開始されるものとする。この場合、本装置は、ダウンロード可能時間帯に要求信号をサーバー２００に伝送する。番組Aの全差分情報は、ダウンロード可能時間帯の例えば時点６ｔ１２で取得され、記録再生装置３５に格納される。時点６ｔ３で番組Aの放送が開始されると、視聴予約データに基づいて、番組Aの受信・再生が開始される。時点６ｔ３ですでに差分情報の取得は完了しているので、時点６ｔ３から４ｋ２ｋ映像データ作成部３６は、記録再生装置３５からの差分情報ストリームと、放送波受信機３１からの主映像データストリームとをデコードし、４ｋ２ｋ映像データを生成して出力する。
【００５０】
図７の例を説明する。時点７ｔ１以前はダウンロード禁止時間帯、時点７ｔ１−７ｔ３はダウンロード可能時間帯、時点７ｔ３−７ｔ４はダウンロード禁止時間帯であるものとする。ここで、例えば番組Bの視聴予約が時点７ｔ１１で行われるものとする。また番組Bは、時点７ｔ２に放送開始されるものとする。この場合、本装置は、視聴予約が行われると直ぐに要求信号をサーバー２００に伝送する。番組Bの全差分情報は、ダウンロード可能時間帯の例えば時点７ｔ１２で取得され、記録再生装置３５に格納される。時点７ｔ２で番組Bの放送が開始されると、視聴予約データに基づいて、番組Bの受信・再生が開始される。時点７ｔ２ですでに差分情報の取得は完了しているので、時点７ｔ３から４ｋ２ｋ映像データ作成部３６は、記録再生装置３５からの差分情報ストリームと、放送波受信機３１からの主映像データストリームとをデコードし、４ｋ２ｋ映像データを生成して出力する。
【００５１】
図８の例を説明する。時点８ｔ１以前はダウンロード禁止時間帯、時点８ｔ１−８ｔ２はダウンロード可能時間帯、時点８ｔ２−８ｔ４はダウンロード禁止時間帯であるものとする。ここで、例えば番組Cの視聴予約が時点８ｔ１１で行われるものとする。また番組Cは、時点８ｔ３に放送開始されるものとする。
【００５２】
この場合、本装置は、視聴予約が行われても要求信号をサーバー２００に伝送しないか、または要求信号を伝送してもサーバー２００が応答しない。
【００５３】
したがって、時点８ｔ３に番組Cの放送が開始されても、２ｋ１ｋの主映像データが得られるのみであり、その差分情報が準備されていない。この場合、ユーザは、番組Cをアップコンバートして視聴するか、又は、主映像データと差分情報が揃った段階（つまり後の時間）に番組Cを４ｋ２ｋ映像データで視聴するかを選択できる。
【００５４】
ユーザが、番組Cをアップコンバートして視聴することを選択した場合、時点８ｔ３から番組Cが視聴可能である。ユーザが、番組Cを後の時間に視聴することを選択した場合、時点８ｔ４以降に番組Cが視聴可能である。上記したような番組視聴への移行ケースは、数例であり、その他様々なケースが生じる。
【００５５】
図９は、プログラムに基づいて、システム制御器３５が、上記した受信装置の動作を実行する動作フローの一例を示している。ステップSA1で４ｋ２ｋ放送される番組（例えば番組A)の視聴或いは録画の設定が行われたものとする。この視聴或いは録画の設定は、番組表の中から所望の番組がユーザにより選択されたときに実行される。
【００５６】
ステップSA2で、番組開始までにダウンロード可能時間があるか否かの判定が行われる。ダウンロード可能時間がある場合は、番組の放送前に差分情報のダウンロードが実行される（ステップSA3）。また差分情報は、記録再生装置３５で録画される。
【００５７】
番組Aのライブ視聴が決定している場合は、番組Aの放送が開始されたとき、差分情報を用いて２ｋ１ｋの主映像データが４ｋ２ｋ映像データに変換されて出力される（ステップSA4、ステップSA5）。
【００５８】
ステップSA4で、番組Aがライブ視聴ではなく、録画することが決定されている場合は、受信された２ｋ１ｋ主映像データは、記録再生装置３５で録画される（ステップSA11）。
【００５９】
さらに、「２ｋ１ｋ主映像データと既に録画されている差分情報とを用いて４ｋ２ｋ映像データを生成し、この生成された４ｋ２ｋ映像データを記録再生装置３５で録画する」ことが設定されているか否かが判定される。この４ｋ２ｋ映像データ録画の設定が「Yes」であれば、変換した４ｋ２ｋ映像データが、記録再生装置３５で録画される（ステップSA13）。番組Aの再生視聴が行われたときは、録画されている４ｋ２ｋ映像データが再生される（ステップSA14）。この４ｋ２ｋ映像データ録画の設定が「No」であれば、受信された２ｋ１ｋ主映像データが、情報記録再生装置３５で録画される。そして、番組Aの再生視聴が行われるとき、録画されている２ｋ１ｋ主映像データと差分情報とを用いて４ｋ２ｋ映像データが生成される。
【００６０】
ステップSA2では番組開始までに差分情報のダウンロード可能時間があるか否か判定される。ここで、図８で説明した番組Cのように、番組開始までに差分情報のダウンロードが不可能な場合がある。この場合、番組Cのライブ視聴が設定されているかどうか判断される（ステップSA21）。ライブ視聴が設定されていない場合は、受信した２ｋ１ｋ主映像データが記録再生装置３５で録画される（ステップSA22）。そしてダウンロード可能時間帯に番組Cに関する差分情報をダウンロードし、記録再生装置３５で録画する（ステップSA23）。この処理の後はステップSA12に移る。
【００６１】
ステップSA21において、ライブ視聴が設定されている場合は、２ｋ１ｋ主映像データをアップコンバートして視聴するかどうかの判断が行われる（ステップSA31）。アップコンバートして視聴する設定が行われている場合は、番組Cの主映像データをアップコンバートして出力する。
【００６２】
図１０（Ａ）は、ＥＰＧデータ処理器４１、番組表管理部４２のデータ、ＯＳＤ処理器４５並びにシステム制御器３７の制御に基づいて表示される番組表の一例を示している。本装置においては、例えば番組名に加えて、当該番組が４ｋ２ｋコンテンツである場合、「４ｋ２ｋコンテンツ」の表示を行うことができる。このコンテンツ情報は、例えば放送局或いはサーバーから送られている番組情報に含まれている。
【００６３】
またユーザがリモートコントローラを操作し、そしてカーソルが４ｋ２ｋコンテンツの番組案内に位置したとき、例えば図１０（Ｂ）に示すように、ポップアップ画像が表示されてもよい。吹出しには、メッセージが表示される。例えば、高画質視聴を設定しますか？というような問い合わせが行われるようにしてもよい。
【００６４】
図１１（Ａ）−（Ｃ）は、表示器５０００における表示例であり、メッセージは、ＳＯＤ処理器４６などがシステム制御器３７の制御に基づいて動作して、表示される。高画質視聴が開始されたときは、図１１（Ａ）のように、例えば画面の下部に「この番組は高画質映像再生を行っています」のようなテロップが一定期間流れてもよい。またアップコンバートして映像データが再生されているときは、図１１（Ｂ）に示すように、「アップコンバータで高画質化しています」のようなテロップが一定期間流れてもよい。また、差分情報の取得ができていない番組において、４ｋ２ｋ視聴可能な番組が視聴再生された場合、「高画質映像番組ですが準備時間が必要です」、「後で視聴しますか？」「今すぐ視聴しますか？」などのメッセージが表示されてもよい。ユーザが後で視聴することを選択した場合、例えば図８で説明したように、差分情報がダウンロードされるまで番組の視聴が保留される。しかし、ユーザが今すぐ視聴することを選択した場合は、アップコンバートによる視聴状態となる。
【００６５】
また上記した実施形態に限らず、差分情報を取得する第２の経路は、インターネットに限らず、ホームネットワーク、ソーシャルネットワークなども含む、さらに第２の系路は、人為的に差分情報が供給されるような場合も、本アイデアは含む。例えば、記録媒体（ディスクやメモリユニット）が再生装置に装填されることで、差分情報が取得可能となる場合、上記したようなメッセージを表示することができる。この装置は、例えば特別に指定された時間帯に、記録媒体（記憶媒体）を利用して、高画質映像を視聴できる装置（例えば商業用、ビジネス用）として利用できる。
【００６６】
上記した説明に用いた用語において「部」や「器」は、「装置」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【００６７】
発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１００・・・放送波送信装置、２００・・・差分情報配信サーバー、３０・・・信号処理部、３１・・・放送波受信機、３２・・・アップコンバータ、３３・・・セレクタ、３４・・・差分情報受信機、３５・・・記録再生装置、３６・・・４ｋ２ｋ映像データ作成部、３７・・・システム制御器、４１・・・ＥＰＧデータ処理器、４２・・・番組管理部、４３・・・差分情報取得管理部、４５・・・ＯＳＤ処理器、４６・・・操作信号受信部、１０００・・・放送局、３０００・・・受信装置、５０００・・・表示器。
【図１】
2014138314.tif 000003
【図２】
2014138314.tif 000004
【図３】
2014138314.tif 000005
【図４】
2014138314.tif 000006
【図５】
2014138314.tif 000007
【図６】
2014138314.tif 000008
【図７】
2014138314.tif 000009
【図８】
2014138314.tif 000010
【図９】
2014138314.tif 000011
【図１０】
2014138314.tif 000012
【図１１】
2014138314.tif 000013